(57)【要約】移動端末が開示される。移動端末の支持アセンブリ（１）を折り開くと、表示画面全体を表示することができ、その結果、移動端末は大画面表示を実現することができる。支持アセンブリ（１）を折り畳むと、第一のハウジング（１１）と第二のハウジング（１２）とが積層されるため、支持アセンブリ（１）の長さは、折り開いたときに支持アセンブリ（１）の半分程度にしかならないので、移動端末を持ち運ぶのに便利になる。このため、この移動端末は、表示面積が大きく、持ち運ぶのに便利である。【選択図】図１
2021519985.tif 000002
【特許請求の範囲】
【請求項１】
支持アセンブリ（１）と、主表示画面（２）と、可動シート（３）とを備えることを特徴とする移動端末であって、前記支持アセンブリ（１）は、第一のハウジング（１１）と、第二のハウジング（１２）と、屈曲部材（１３）とを備え、
前記屈曲部材（１３）は、前記第一のハウジング（１１）と前記第二のハウジング（１２）との間に接続され、前記屈曲部材（１３）は、前記支持アセンブリ（１）を折り開くために、または折り曲げるために、折り開くこと、または屈曲させることができ、
前記第一のハウジング（１１）は、第一の内面（１１１）と、第一の外面（１１２）と、第一の側面（１１３）とを備え、前記第一の外面（１１２）は前記主表示画面（２）を保持し、前記第一の内面（１１１）は前記第一の外面（１１２）に対向して配置され、前記第一の側面（１１３）は前記第一の内面（１１１）と前記第一の外面（１１２）との間に接続され、前記第一のハウジング（１１１）が前記第一の内面（１１１）から前記第一の外面（１１２）に至る方向に凹む凹部領域（１１４）を画定し、前記凹部領域（１１４）は、前記第一の側面（１１３）まで延び、
前記第二のハウジング（１２）は、第二の内面（１２１）と、第二の外面（１２２）と、第二の側面（１２３）とを備え、前記第二の外面（１２２）は前記主表示画面（２）を保持し、前記第二の内面（１２１）は前記第二の外面（１２２）に対向して配置され、前記第二の側面（１２３）は前記第二の内面（１２１）と前記第二の外面（１２２）との間に接続され、前記第二のハウジング（１１２）は前記第二の内面（１２１）を貫通して前記第二の外面（１２２）に至り、前記第二の側面（１２３）まで延びる受容領域（１２４）を画定し、
前記支持アセンブリ（１）を折り畳むと、前記第二の内面（１２１）が第一の内面（１１１）に対向して配置され、前記受容領域（１２４）と前記凹部領域（１１４）とが合流して移動空間（１０）を形成し、前記可動シート（３）には第一のカメラ（４１）が設けられ、前記可動シート（３）は前記第一のハウジング（１１）に回転可能に接続されて、前記第一のカメラ（４１）を前記移動空間（１０）から回転して出入りさせる、移動端末。
【請求項２】
前記可動シート（３）が前記移動空間（１０）の中に回転して入ると、前記第一のカメラ（４１）の撮像面の向きと前記第二の外面（１２２）の向きとが一致し、
前記可動シート（３）は第一の外壁面（３１）を備え、前記第一の外壁面（３１）の向きは、前記可動シート（３）が前記移動空間（１０）の中に回転して入ると、前記第二の外面（１２２）の向きと一致し、前記第一の外壁面（３１）は前記貫通孔（３１０）を画定し、前記第一のカメラ（４１）の前記撮像面は前記貫通孔（３１０）の方を向き、
前記移動端末は二次表示画面（５）をさらに備え、前記二次表示画面（５）は前記第一の外壁面（３１）に配置され、前記二次表示画面（５）は前記貫通孔（３１０）の方を向く光透過領域（５１）を備え、
前記主表示画面（２）は表示部（２２）を備え、前記表示部（２２）は前記第二の外面（１２２）に積層され、前記第一の外壁面（３１）は、前記可動シート（３）が前記移動空間（１０）の中に回転して入ると、前記第二の外面（１２２）から離れた前記表示部（２２）の面と面一になる、請求項１に記載の移動端末。
【請求項３】
前記光透過領域（５１）は、くり抜かれている、請求項２に記載の移動端末。
【請求項４】
前記光透過領域（５１）は、互いに離間した複数の光透過孔（５１１）を画定する、請求項２に記載の移動端末。
【請求項５】
前記二次表示画面（５）は、積層されたカバープレート（５２）と表示モジュール（５３）とを備え、前記光透過領域（５１）に対応する前記表示モジュール（５３）の一部分がくり抜かれている、請求項２に記載の移動端末。
【請求項６】
前記二次表示画面（５）は、積層されたカバープレート（５２）と表示モジュール（５３）とを備え、前記表示モジュール（５３）は複数の中空孔（５３１）を画定し、前記複数の中空孔（５３１）は前記光透過領域（５１）に対応する領域において互いに離間している、請求項２に記載の移動端末。
【請求項７】
前記二次表示画面（５）は、積層されたカバープレート（５２）と、表示層（５５）と、遮光層（５６）とを備え、前記表示層（５５）は透明表示層（５５）であり、前記光透過領域（５１）に対応する前記遮光層（５６）の一部分はくり抜かれている、請求項２に記載の移動端末。
【請求項８】
前記二次表示画面（５）は、積層されたカバープレート（５２）と、表示層（５５）と、遮光層（５６）とを備え、前記表示層（５５）は透明表示層（５５）であり、前記遮光層（５６）は、前記光透過領域（５１）に対応する領域に互いに離間された複数の貫通孔（５６１）を画定する、請求項２に記載の移動端末。
【請求項９】
前記主表示画面（２）は表示部（２２）を備え、前記表示部（２２）は前記第二の外面（１２２）上に積層され、前記可動シート（３）が前記移動空間（１０）の中に回転して入ると、前記二次表示画面（５）が前記表示部（２２）と面一となる、請求項２〜８のいずれか一項に記載の移動端末。
【請求項１０】
前記可動シート（３）が第二の外壁面（３２）をさらに備え、前記第二の外壁面（３２）は前記第一の外壁面（３１）に接続され、前記第二の外壁面（３２）は、前記可動シート（３）が前記移動空間（１０）の中に回転して入ると、前記第一の外面（１１２）と前記第二の外面（１２２）との間に位置し、前記支持アセンブリ（１）に対向して位置し、前記第二の外壁面（３２）の向きは、前記可動シート（３）が前記移動空間（１０）から回転して出ると、前記第一の外面（１１２）の向きと一致し、前記移動端末は、前記第二の外壁面（３２）上に配置された追加表示画面（６）をさらに備える、請求項２〜９のいずれか一項に記載の移動端末。
【請求項１１】
前記可動シート（３）は、第三の外壁面（３３）をさらに備え、前記第三の外壁面（３３）は前記第一の外壁面（３１）に接続され、前記第二の外壁面（３２）に対向して配置され、前記第三の外壁面（３３）は、前記可動シート（３）が前記移動空間（１０）の中に回転して入ると、前記第一の外面（１１２）と前記第二の外面（１２２）との間に位置し、前記支持アセンブリ（1）の方を向き、前記第三の外壁面（３３）の向きは、前記可動シート（３）が前記移動空間（１０）から回転して出ると、前記第二の外壁面（１２２）の向きと一致し、前記可動シート（３）には第二のカメラ（４２）がさらに設けられ、前記第二のカメラ（４２）の前記撮像面の向きが前記第三の外壁面（３３）の向きと一致し、
前記可動シート（３）にはフラッシュランプ（４３）がさらに設けられ、前記フラッシュランプ（４３）の発光面の向きが前記第三の外壁面（３３）の向きと一致する、請求項２〜９のいずれか一項に記載の移動端末。
【請求項１２】
前記第一のハウジング（１１）は、第三の側面（１１５）と第四の側面（１１６）とをさらに備え、前記第三の側面（１１５）と前記第四の側面（１１６）とがいずれも前記第一の内面（１１１）と前記第一の外面（１１２）との間に接続され、前記第三の側面（１１５）と前記第四の側面（１１６）とが互いに対向して配置され、前記第三の側面（１１５）が前記第一の側面（１１３）の一方の側に接続され、前記第四の側面（１１６）が前記第一の側面（１１３）の他方の側に接続され、前記凹部領域（１１４）が前記第三の側面（１１５）から前記第四の側面（１１６）まで貫通し、
前記可動シート（３）は、イヤホン（４４）をさらに備え、前記可動シート（３）は、互いに対向して配置された第四の外壁面（３４）と第五の外壁面（３５）とを備え、前記第四の外壁面（３４）の向きは、前記第三の側面（１１５）の向きと一致し、前記第五の外壁面（３５）の向きは、前記第四の側面（１１６）の向きと一致し、前記第四の外壁面（３４）および前記第五の外壁面（３５）の少なくとも一方は、音孔を画定する、請求項１〜９のいずれか一項に記載の移動端末。
【請求項１３】
前記支持アセンブリ（１）を折り畳むと、前記第一の外面（１１２）上の前記受容領域（１２４）の突起部が、前記第一の外面（１１２）上の前記凹部領域（１１４）の突起部を覆う、請求項１〜９のいずれか一項に記載の移動端末。
【請求項１４】
前記主表示画面（２）は、可撓性表示画面であり、前記第一の外面（１１２）と、前記屈曲部材（１３）の外面と、前記第二の外面（１２２）とは、一括して前記主表示画面（２）を保持する、請求項１〜９のいずれか一項に記載の移動端末。
【請求項１５】
前記主表示画面（２）は、前記第一の外面（１１２）上に置かれた第一の副表示画面（２４）と、前記第二の外面（１２２）上に置かれた第二の副表示画面（２５）とを備える、請求項１〜９のいずれか一項に記載の移動端末。
【発明の詳細な説明】
【技術分野】
【０００１】
説明される実施形態は、機械的構造通信技術に関し、特に、移動端末に関する。
【背景技術】
【０００２】
近年、移動電話、タブレットコンピュータ等のような表示電子製品のような表示画面を有する電子機器は、一般に、ハードウェアサイズに一致するサイズを有する表示画面を含む。したがって、表示の表示面積を大きくするためには、ハードウェアを大きくする必要があり、製品の携帯性が大幅に低下する。
【発明の概要】
【０００３】
本開示は、大きな表示面積を有し、技術的問題を解決するために持ち運びに便利な移動端末を提供する。
【０００４】
本開示は、支持アセンブリと、主表示画面と、可動シートとを含む移動端末であって、上記支持アセンブリは、第一のハウジングと、第二のハウジングと、屈曲部材とを含み、上記屈曲部材は、上記第一のハウジングと上記第二のハウジングとの間に接続され、上記屈曲部材は、上記支持アセンブリを折り開くために、または折り曲げるために、折り開くこと、または屈曲させることができ、上記第一のハウジングは、第一の内面と、第一の外面と、第一の側面とを備え、上記第一の外面は上記主表示画面を保持し、上記第一の内面は上記第一の外面に対向して配置され、上記第一の側面は上記第一の内面と上記第一の外面との間に接続され、上記第一のハウジングが上記第一の内面から上記第一の外面に至る方向ｎに凹む凹部領域を画定し、上記凹部領域は、上記第一の側面まで延び、上記第二のハウジングは、第二の内面と、第二の外面と、第二の側面とを備え、上記第二の外面は上記主表示画面を保持し、上記第二の内面は上記第二の外面に対向して配置され、上記第二の側面は上記第二の内面と上記第二の外面との間に接続され、上記第二のハウジングは上記第二の内面を貫通して上記第二の外面に至り、上記第二の側面まで延びる受容領域を画定し、上記支持アセンブリを折り畳むと、上記第二の内面が第一の内面に対向して配置され、上記受容領域と上記凹部領域とが合流して移動空間を形成し、上記可動シートには第一のカメラが設けられ、上記可動シートは上記第一のハウジングに回転可能に接続されて、上記第一のカメラを上記移動空間から回転して出入りさせる、移動端末を提供する。
【０００５】
本開示では、支持アセンブリを折り開くと、表示画面全体を表示することができ、その結果、移動端末は、大画面表示を実現することができる。支持アセンブリを折り畳むと、第一のハウジングと第二のハウジングとを積層でき、支持アセンブリを折り開いたときの長さの約半分だけになるので、移動端末を持ち運ぶのに便利になる。したがって、移動端末は大きな表示面積を有することができ、持ち運ぶのに便利である。
【０００６】
本開示の実施形態において説明される技術的解決策をより明確にするために、実施形態の説明に使用される図面を簡単に説明する。明らかに、以下に記載される図面は、説明のためだけのものであり、限定のためのものではない。当業者は、いかなる創造的努力も払うことなく、これらの図面に基づいて他の図面を得ることができることを理解されたい。
【図面の簡単な説明】
【０００７】
【図１】本開示の実施形態によって提供される、折り畳まれたときの移動端末を示す概略構造図である。
【図２】折り開かれたときの図１に示す移動端末を示す概略構造図である。
【図３】折り開かれたときの図１に示す移動端末の支持アセンブリを示す概略構造図である。
【図４】折り畳まれたときの図１に示す移動端末の支持アセンブリを示す概略構造図である。
【図５】一実施形態において、図１に示す移動端末の線Ａ−Ａに沿った構造を示す概略構造図である。
【図６】折り畳まれたときの図１に示す移動端末を別の角度で示す概略構造図である。
【図７】可動シートが移動空間から回転して出るときの図５に示す構造を示す概略構造図である。
【図８】他の実施形態において、図１に示す移動端末の線Ａ−Ａに沿った構造を示す概略構造図である。
【図９】可動シートが移動空間から回転して出るときの図８に示す構造を示す概略構造図である。
【図１０】一実施形態における図８のＢの構造を示す概略構造図である。
【図１１】他の実施形態における図８のＢの構造を示す概略構造図である。
【図１２】追加の実施形態における図８のＢの構成を示す概略構造図である。
【図１３】追加の実施形態における図８のＢの構造を示す概略構造図である。
【図１４】追加の実施形態における図８のＢの構造を示す概略構造図である。
【図１５】追加の実施形態における図８のＢの構造を示す概略構造図である。
【図１６】図１に示す移動端末の構造を線Ｃ−Ｃに沿って示す概略構造図である。
【図１７】可動シートが移動空間から回転して出るときの図１６に示す構造を示す概略構造図である。
【図１８】可動シートが移動空間から回転して出るときの図６の移動端末を示す概略構造図である。
【図１９】本発明の他の実施形態による移動端末を示す概略構造図である。
【図２０】図１９に示す移動端末の支持アセンブリを示す概略構造図である。
【図２１】図４に示す支持アセンブリの受容領域と凹部領域との間の第一の外面上の突起関係を示す概略図である。
【図２２】本開示の追加の実施形態による移動端末を示す概略構造図である。
【発明を実施するための形態】
【０００８】
以下、本発明の実施の形態を示す添付図面を参照して、本発明の実施の形態の技術的解決策を説明する。明らかに、本明細書に記載される実施形態は、本開示の実施形態の一部に過ぎず、全てではない。創造的な努力をすることなく、本開示の実施形態から当業者によって得ることができる他のすべての実施形態は、本開示の範囲内に入るものとする。
【０００９】
本開示の説明において、「上」、「下」、「前」、「後」、「左」、「右」、「頂部」、「底部」、「内」、「外」、「円周」等の用語は、添付図面に示される向きおよび位置関係を参照することを理解されたい。したがって、ここで使用されるこれらの用語は、本開示を説明するためのものに過ぎず、簡単な方法で説明するためのものであり、本開示を限定するものとして理解することができない特定の方向に配置されるか、または特定の方向に構造化され実行されることを示す、または暗示することを意図するものではない。
【００１０】
本開示では、特に指定または限定されない限り、用語「取り付けられた」、「接続された」、「結合された」、「配置された」等は、広義に使用され、例えば、固定接続、取り外し可能接続、または一体接続を含むことができ、機械的接続または電気的接続であってもよく、直接接続または介在構造を介した間接接続であってもよく、特定の状況に応じて当業者によって理解され得るように、２つの要素の内部連通であってもよい。
【００１１】
本明細書において、「複数」という用語は、特に断らない限り、２つ以上を意味することを理解されたい。「手順」という用語を含み、それが単に独立した手順を意味するものではなく、他の手順と明確に分離することができない場合には、当該手順の期待される機能が達成されている限り、当該用語に含まれるものとする。また、「から」という用語を用いた数値範囲とは、「から」より前の値と「から」より後の値とを別に最小値および最大値とする範囲をいう。図面において、同様の構造および同一のユニットには、同一の参照番号を付してある。
【００１２】
さらに、無線インターフェースを介して通信するように構成された通信端末は、「無線通信端末」、「無線端末」、または「移動端末」と呼ばれることがある。さらに、本明細書で使用される「通信端末」（または単に「端末」）は、有線接続を介して（例えば、公衆交換電話網（ＰＳＴＮ）、デジタル加入者回線（ＤＳＬ）、デジタルケーブル、直接ケーブル接続、および／または別のデータ接続／ネットワークを介して）接続されるように構成されたデバイス、および／または無線インターフェース（セルラネットワーク、無線ローカルエリアネットワーク（ＷＬＡＮ）、ＤＶＢ−Ｈネットワーク等のデジタルテレビネットワーク、衛星ネットワーク、ＡＭ−ＦＭブロードキャスト送信機、および／または別の通信端末等）を介して通信信号を受信／送信するように構成されたデバイスを含むことができるが、これらに限定されない。移動端末の例には、衛星電話または携帯電話、セルラ無線電話、データ処理、ファクシミリ、およびデータ通信能力を組み合わせることができるパーソナル通信システム（ＰＣＳ）端末を含むが、これらに限定されず、無線電話、ページャ、インターネット／イントラネットアクセス、ウェブブラウザ、電子オーガナイザ、カレンダ、および／または全地球測位システム（ＧＰＳ）受信機を装備した携帯情報端末（ＰＤＡ）、ならびに一般的なラップトップおよび／またはパームタイプの受信機、あるいは送受信機無線電話を含む何らかの他の電子機器を含んでもよい。
【００１３】
本発明の一実施形態による移動端末は、支持アセンブリと、主表示画面と、可動シートとを含むことができる。支持アセンブリは、第一のハウジングと、第二のハウジングと、屈曲部材とを含んでもよい。屈曲部材は、第一のハウジングと第二のハウジングとの間に接続されていてもよい。屈曲部材は、支持アセンブリを折り開くために、または折り曲げるために、折り開くこと、または屈曲させることができる。第一のハウジングは、第一の内面と、第一の外面と、第一の側面とを含むことができる。第一の外面は、主表示画面を保持することができる。第一の内面は、第一の外面に対向して配置されていてもよい。第一の側面は、第一の内面と第一の外面との間に接続されてもよい。第一のハウジングは、第一の内面から第一の外面に至る方向に凹む凹部領域を画定することができる。凹部領域は、第一の側面まで延在してもよい。第二のハウジングは、第二の内面と、第二の外面と、第二の側面とを含むことができる。第二の外面は、主表示画面を保持することができる。第二の内面は、第二の外面に対向して配置されていてもよい。また、第二の側面は、第二の内面と第二の外面との間に接続されてもよい。第二のハウジングは、第二の内面を貫通して第二の外面に至り、第二の側面まで延びる受容領域を画定してもよい。支持アセンブリを折り畳むと、第二の内面を第一の内面に対向して配置することができ、受容領域と凹部領域とが合流して移動空間を形成することができる。可動シートには、第一のカメラを設けることができる。可動シートは、第一のハウジングに回転可能に接続されて、第一のカメラを移動空間から回転して出入れすることができる。
【００１４】
別の実施形態では、第一のカメラの撮像面の向きは、可動シートが移動空間の中に回転して入ると、第二の外面の向きと一致してもよい。
【００１５】
別の実施形態では、可動シートは、第一の外壁面を含むことができる。第一の外壁面の向きは、可動シートが移動空間の中に回転して入ると、第二の外面の向きと一致してもよい。第一の外壁面は、貫通孔を画定することができ、第一のカメラの撮像面が貫通孔の方を向く。
【００１６】
さらに別の実施形態では、移動端末は、二次表示画面を含むことができる。第一の外壁面には、二次表示画面を配置してもよい。二次表示画面は、光透過領域を含むことができる。光透過領域は、貫通孔の方を向いてもよい。
【００１７】
さらに別の実施形態では、光透過領域は、くり抜かれていてもよい。
【００１８】
別の実施形態では、光透過領域は、互いに離間した複数の光透過孔を画定することができる。
【００１９】
別の実施形態では、二次表示画面は、カバープレートと、表示モジュールとを含むことができる。カバープレートと表示モジュールとは、積層されている。表示モジュールの一部分は、光透過領域に対応することができる。表示モジュールのその一部分は、くり抜かれていてもよい。
【００２０】
別の実施形態では、二次表示画面は、カバープレートと、表示モジュールとを含むことができる。カバープレートと表示モジュールとは、積層されていてもよい。表示モジュールは、複数の中空孔を画定することができる。また、複数の中空孔は、光透過領域に対応する領域で互いに離間してもよい。
【００２１】
さらなる別の実施形態では、二次表示画面は、カバープレートと、表示層と、遮光層とを含んでもよい。カバープレートと、表示層と、遮光層とは、積層されていてもよい。表示層は、透明な表示層であってもよい。遮光層の一部分は、光透過領域に対応してもよい。遮光層のその一部分は、くり抜かれていてもよい。
【００２２】
さらなる別の実施形態では、二次表示画面は、カバープレートと、表示層と、遮光層とを含んでもよい。カバープレートと、表示層と、遮光層とは、積層されていてもよい。表示層は、透明な表示層であってもよい。遮光層は、光透過領域に対応する領域に互いに離間して設けられた複数の透過孔を画定することができる。
【００２３】
さらに別の実施形態では、主表示画面は、表示部を含んでもよい。表示部は、第二の外面に積層されてもよい。可動シートが移動空間の中に回転して入ると、二次表示画面が表示部と面一であってもよい。
【００２４】
別の実施形態では、主表示画面は、表示部を含んでもよい。表示部は、第二の外面に積層されてもよい。第一の外壁面は、可動シートが移動空間の中に回転して入ると、第二の外面から離れた表示部の面と面一であってもよい。
【００２５】
別の実施形態では、可動シートは、第二の外壁面をさらに含んでもよい。第二の外壁面は、第一の外壁面に接続されてもよい。第二の外壁面は、可動シートが移動空間の中に回転して入ると、第一の外面と第二の外面との間に位置し、支持アセンブリに対向して位置してもよい。第二の外壁面の向きは、可動シートが移動空間から回転して出ると、第一の外面の向きと一致してもよい。移動端末は、第二の外壁面に配置された追加表示画面をさらに含むことができる。
【００２６】
別の実施形態では、可動シートは、第三の外壁面をさらに含むことができる。また、第三の外壁面は、第一の外壁面に接続され、第二の外壁面に対向して配置されてもよい。第三の外壁面は、可動シートが移動空間の中に回転して入ると、第一の外面と第二の外面との間に位置し、支持アセンブリの方を向いてもよい。第三の外壁面の向きは、可動シートが移動空間から回転して出ると、第二の外面の向きと一致してもよい。可動シートには、第二のカメラがさらに設けられていてもよい。第二のカメラの撮像面の向きは、第三の外壁面の向きと一致してもよい。可動シートには、フラッシュランプがさらに設けられていてもよい。フラッシュランプの発光面の向きは、第三の外壁面の向きと一致してもよい。
【００２７】
別の実施形態では、第一のハウジングは、第三の側面および第四の側面をさらに含んでもよい。第三の側面と第四の側面とは、いずれも第一の内面と第一の外面との間に接続されてもよい。第三の側面と第四の側面とは、互いに対向して配置されてもよく、第第三の側面は、第一の側面の一方の側に接続されてもよい。第四の側面は、第一の側面の他方の側に接続されてもよい。凹部領域は、第三の側面から第四の側面まで貫通してもよい。可動シートには、イヤホンがさらに設けられてもよい。可動シートは、互いに対向して配置された第四の外壁面と第五の外壁面とを含んでもよい。第四の外壁面の向きは、第三の側面の向きと一致してもよい。第五の外壁面の向きは、第四の側面の向きと一致してもよい。第四の外壁面および第五の外壁面のうち少なくとも一方は、音孔を画定してもよい。
【００２８】
別の実施形態では、第一の外面上の受容領域の突起部は、支持アセンブリが折り畳まれると、第一の外面上の凹部領域の突起部を覆っていてもよい。
【００２９】
別の実施形態では、主表示画面は、可撓性表示画面であってもよい。第一の外面と、屈曲部材の外面と、第二の外面とは、一括して主表示画面を保持することができる。
【００３０】
さらに別の実施形態では、主表示画面は、第一の外面上に置かれた第一の副表示画面と、第二の外面上に置かれた第二の副表示画面とを含んでもよい。
【００３１】
図１および図２を参照すると、本開示の実施形態は、移動端末１００を提供する。移動端末１００は、支持アセンブリ１と、主表示画面２と、可動シート３とを含むことができる。主表示画面２は、支持アセンブリ１に固定されてもよい。支持アセンブリ１は、第一のハウジング１１と、第二のハウジング１２と、屈曲部材１３とを含んでもよい。屈曲部材１３は、第一のハウジング１１と第二のハウジング１２との間に接続されていてもよい。屈曲部材１３は、支持アセンブリ１を折り開くために、または折り曲げるために、折り開くこと、または屈曲させることができる。ここで、屈曲部材１３は、弾性板構造、ヒンジ構造、シャフト接続構造等の様々な実装を含むことができる。
【００３２】
本開示では、支持アセンブリ１が折り開き状態にあるとき、第一のハウジング１１と第二のハウジング１２とは、１２０°〜１８０°の角度を形成することができる。図２に示すように、本開示では、支持アセンブリ１が折り開かれたときに、第一のハウジング１１と第二のハウジング１２との間に１８０°の角度が形成される場合を例に挙げて説明する。支持アセンブリ１が折り畳み状態にあるとき、第一のハウジング１１と第二のハウジング１２との間に０°〜１５°の角度を形成することができる。図１に示すように、本開示では、支持アセンブリ１が折り畳まれたときに、第一のハウジング１１と第二のハウジング１２との間に０°の角度が形成される場合を例に挙げて説明する。
【００３３】
図２および図３を参照すると、第一のハウジング１１は、第一の内面１１１と、第一の外面１１２と、第一の側面１１３とを含んでもよい。第一の外面１１２は、主表示画面２を保持することができる。第一の内面１１１は、第一の外面１１２に対向して配置されてもよい。第一の側面１１３は、第一の内面１１１と第一の外面１１２との間に接続されていてもよい。第一のハウジング１１は、凹部領域１１４を画定することができる。凹部領域１１４は、第一の内面１１１から第一の外面１１２まで凹むことができ、凹部領域１１４は、第一の側面１１３まで延びることができる。
【００３４】
図２および図３を参照すると、第二のハウジング１２は、第二の内面１２１と、第二の外面１２２と、第二の側面１２３とを含んでもよい。第二の外面１２２は、主表示画面２を保持することができる。第二の内面１２１は、第二の外面１２２に対向して配置されてもよい。第二の側面１２３は、第二の内面１２１と第二の外面１２２との間に接続されてもよい。第二の側面１２３の向きは、第一の側面１１３の向きと一致してもよい。第二のハウジング１２は、受容領域１２４を画定することができる。受容領域１２４は、第二の内面１２１を貫通して第二の外面１２２に至り、第二の側面１２３まで延びることができる。
【００３５】
図１、図４および図５を参照すると、支持アセンブリ１が折り畳まれると、第二の内面１２１は第一の内面１１１の方を向くことができ、受容領域１２４および凹部領域１１４は移動空間１０の中に合流することができる。この場合、第一の外面１１２は、第二の外面１２２に対向して配置されてもよい。第一のカメラ４１を可動シート３上に配置し、可動シート３を第一のハウジング１１に回転可能に接続して、第一のカメラ４１を移動空間１０から回転して出入れすることができる。
【００３６】
本実施形態では、支持アセンブリ１を折り開くと、主表示画面２の全体を表示に利用することができるので、移動端末１００は、大画面表示を実現することができる。支持アセンブリ１を折り畳むと、第一のハウジング１１と第二のハウジング１２とを積層でき、支持アセンブリを折り開いたときの長さの約半分だけになるので、移動端末１００を持ち運ぶのに便利になる。これにより、移動端末１００は、大きな表示面積を有することができ、持ち運ぶのに便利になる。
【００３７】
支持アセンブリ１を折り畳むと、凹部領域１１４と受容領域１２４とが移動空間１０に合流することができ、受容領域１２４は第二の内面１２１を貫通して第二の外面１２２に至ることができ、したがって移動端末１００の厚さ空間上では、受容領域１２４の大きさが大きくなり、全体としての移動空間１０も大型化することができる。可動シート３は、移動端末１００の厚さ空間を良好に利用することができ、その結果、移動端末１００の全体的な厚さを薄くすることができ、これによって、移動端末１００の薄い厚さの実現に寄与することができる。一方、可動シート３は、移動端末１００の厚さ空間を良好に利用できるので、可動シート３は、厚さを厚くすることができ、それにより、カメラ等のより厚い装置を収容することができ、その結果、より多くの機能装置を可動シート３内に配置して、より多くの機能を移動端末１００に提供することができる。さらに、受容領域１２４は、第二の内面１２１を貫通して第二の外面１２２に至ることができるので、受容領域１２４は、第二のハウジング１２を貫通することができる。可動シート３は、第一のハウジング１１に回転可能に接続することができるので、可動シート３は、移動端末１００の外側の空間を利用して、受容領域１２４の近くで、移動端末１００内のより多くの回転空間を節約する必要なく、回転することができ、その結果、可動シート３は、ユーザの多機能相互作用要件を満たすべく、より多くの機能装置を収容するために、より大きなサイズで構成することができる。
【００３８】
本開示では、図２を参照すると、主表示画面２は、第一の表示領域２１と、表示部２２（第二の表示領域２２とも呼ばれる）と、第三の表示領域２３とを含むことができる。第一の表示領域２１は、第一のハウジング１１の第一の外面１１２上に積層することができる。第二の表示領域２２は、第二のハウジング１２の第二の外面１２２上に積層することができる。第三の表示領域２３は、第一の表示領域２１と第二の表示領域２２との間に接続することができる。第三の表示領域２３は、屈曲部材１３上に積層することができる。支持アセンブリ１が折り開かれると、または折り畳まれると、ユーザは、表示要件を満たすために、第一の表示領域２１、第二の表示領域２２、および第三の表示領域２３のうちのいずれか１つまたは複数を表示のために柔軟に選択することができる。
【００３９】
支持アセンブリ１が折り畳まれるとき、ユーザは、表示するために第一の外面１１２上に置かれた主表示画面２の一部分を選択することができ、または、表示するために第二の外面１２２上に置かれた主表示画面２のその一部分を選択することができ、その結果、移動端末１００の相互作用モードをより多様化することができ、こうして、より良くユーザ体験を提供することができる。
【００４０】
本開示では、１つの面の向きが別の面の向きと一致するとは、２つの面の間に１３５°〜２２５°の角度を形成することができることを意味し、本開示の実施形態は、２つの面の間に１８０°の角度を形成する例、すなわち２つの面が平行である場合を用いて説明される。
【００４１】
本開示において、支持アセンブリ１を折り開くと、凹部領域１１４は、移動空間１０を形成することなく、受容領域１２４から分離され得ることが理解され得る。可動シート３を第一のハウジング１１に回転可能に接続することができるので、支持アセンブリ１を折り開くと、可動シート３を第二のハウジング１２から離間させることができ、第二のハウジング１２が可動シート３を遮断しないので、可動シート３に設けられた機能装置がユーザと相互作用することができる。支持アセンブリ１を折り畳むと、凹部領域１１４は、移動空間１０を形成するために受容領域１２４と合流することができ、本開示では、移動空間１０から回転して出入りする可動シート３の実施態様は、支持コンポーネント１が折り畳み状態にある場合に適用されると考えることができ、本開示は、そのような例で主に説明することができる。
【００４２】
本開示において、可動シート３は、ユーザの力の下で回転することができ、また移動端末１００の駆動アセンブリの駆動力の下で回転することもできる。すなわち、ユーザは可動シート３を手動で回転させることができ、駆動アセンブリも、可動シート３を自動的に回転させることもできる。駆動アセンブリは、モータおよびギヤセット等を含むことができる。
【００４３】
一実施形態では、図５および図６を参照すると、可動シート３が移動空間１０の中に回転して入ると、第一のカメラ４１の撮像面の向きは、第二の外面１２２の向きと一致することができる。外部光は、第一のカメラ４１の撮像面を通して第一のカメラ４１に入射することができるので、第一のカメラ４１は撮像し、完全な撮影を行うことができる。
【００４４】
本実施形態では、受容領域１２４が第二のハウジング１２を貫通できるため、移動空間１０は第二のハウジング１２を貫通することができ、可動シート３が移動空間１０の中に回転して入ると、第二の外面１２２の向きと一致する向きを有する可動シート３の側部を第二のハウジング１２の外側に露出させることができる。したがって、可動シート３が移動空間１０内に回転し、第一のカメラ４１の撮像面の向きが第二の外面１２２の向きと一致したとき、第一のカメラ４１の撮像面を露出させることができ、第二のハウジング１２が第一のカメラ４１を遮らず、支持アセンブリ１を折り畳むとき、または折り開くときに、第一のカメラ４１は撮影することができ、撮影モードを多様化させることができ、ユーザの使用体験を向上させることができる。
【００４５】
「第一のカメラ４１の撮像面を露出させることができる」とは、第一のカメラ４１の撮像面が、遮光効果を有する移動端末１００のコンポーネント（例えば、主表示画面２等）によって遮光されないことで、撮影が円滑に行えることを意味するものと解することができる。明らかに、第一のカメラ４１の撮像面は、保護機能を達成するために、依然として、光透過レンズ等によって覆うことが可能である。
【００４６】
一実施形態において、図５〜図７を参照すると、可動シート３の回転中心線３０の方向は、第一の外面１１２と平行とすることができる。可動シート３は、回転軸端３ａと可動端３ｂとを有してもよい。回転軸端３ａと可動端３ｂは、可動シート３の両端とすることができる。軸端３ａは、第一のハウジング１１に回転可能に接続されることができる。可動端３ｂは、回転軸端３ａを中心として回転してもよい。
【００４７】
本開示では、可動シート３は、様々な回転角度を有してもよく、例えば、可動シート３は、第一のハウジング１１に対して約１８０°回転することができる。この場合、第一のカメラ４１の撮像面は、第二の外面１２２の向きと同じ向きから第一の外面１１２と同じ向きに回転することができるので、可動シート３を回転させて第一のカメラ４１の撮像面の向きを変えてもよいし、ユーザが表示領域を切り替えない場合（例えば、表示する第一の表示領域２１および第二の表示領域２２を用いて）、前方撮影（例えば、自己撮影）も後方撮影（相互撮影等）も終了させることができる。
【００４８】
任意に、図５および図７を参照すると、可動シート３は、第一のハウジング１１に対して約９０°回転することができる。本開示は、このような例を用いて説明することができる。この場合、回転軸端３ａは、凹部領域１１４に受容することができる。可動シート３が移動空間１０の中に回転して入ると、可動端３ｂは第二のハウジング１２に近接して移動し、受容領域１２４に受容されることができる。可動シート３が移動空間１０から回転して出ると、可動端３ｂが第二のハウジング１２から離れて、受容領域１２４から分離することができる。第一のカメラ４１の撮像面は、第二の外面１２２と同じ向きから第一の側面１１３と同じ向きに回転することができる。 第一のカメラ４１の撮像面が第一の側面１１３と同じ向きであるとき、第二の表示領域２２によって表示を行うことができ、第一のハウジング１１は第一のカメラ４１を第二のハウジング１２に対して回転させることができるので、第一のカメラ４１の撮像面を所望の角度に回転させて撮影することができ、移動端末１００の撮影の自由度を向上させ、ユーザ体験を向上させることができる。さらに、第一のハウジング１１を第二のハウジング１２に対して回転させる際に、第二のハウジング１２を静止させたままとすることができるので、第一のハウジング１１と、第一のハウジング１１に装着された第一のカメラ４１が揺れなくなり、第一のカメラ４１を用いて連続的に向きを変える必要がある記録またはパノラマ画像撮影等の撮影動作を行うときに、移動端末１００は、安定性を有し、揺れが少ない第一のカメラ４１で、より高品質な画像を得ることができ、ユーザの使用体験を向上させることができる。
【００４９】
一実施形態では、図５および図７を参照すると、可動シート３は、第一の外壁面３１を含んでもよい。第一の外壁面３１は、可動シート３の可動端３ｂに位置してもよい。可動シート３が移動空間１０の中に回転して入ると、第一の外壁面３１の向きは、第二の外面１２２の向きと一致する。第一の外壁面３１は、貫通孔３１０を画定してもよい。第一のカメラ４１の撮像面は、貫通孔３１０に向くようにすることができる。第一のカメラ４１の撮像面の第一外壁面３１への突起部は、貫通孔３１０によって覆われることができる。この光は、貫通孔３１０を通して第一のカメラ４１の撮像面に入射することができ、第一のカメラ４１は、撮像して完全な撮影を行うことができる。
【００５０】
本開示では、第一の外壁面３１を可動端３ｂに位置させることができ、可動シート３が移動空間１０から回転して出ると、第一の外壁面３１が第二のハウジング１２から離れるように移動することができ、受容領域１２４から離れるようにして、第一の外壁面３１を露出させ、支持アセンブリ１が任意の状態（折り開き、折り畳み、任意の角度での折り開きを含む）にあるときに、第一のカメラ４１が撮影を行うことができる。
【００５１】
一実施形態では、図８および図９を参照すると、移動端末１００は、二次表示画面５をさらに含むことができる。第一の外壁面３１には、二次表示画面５を配置することができる。二次表示画面５は、貫通孔３１０の方を向いて配置され得る光透過領域５１を画定することができる。
【００５２】
本実施形態では、第一の外壁面３１に二次表示画面５を配置してもよいので、可動シート３が内側に回転すると、第一の外壁面３１の向きを第一の外面１１２の向きと一致させることができ、主表示画面２（第二の表示領域２２）に二次表示画面５を接合することができるので、表示面積を大きくすることができ、こうして、移動端末１００の表示面積が大きくなり、画面比率が高くなって、ユーザの視聴体験をさらに向上させることができる。
【００５３】
本開示では、二次表示画面５の光透過領域５１は、以下の例を挙げて、様々な実施態様を含むことができる。
【００５４】
第一の実施形態では、図８および図１０を参照すると、二次表示画面５の光透過領域５１は、くり抜かれてもよい。換言すれば、二次表示画面５は、二次表示画面５を貫通する貫通孔を画成することができ、貫通孔は、光が第一のカメラ４１に入射可能な光透過領域５１を形成することができる。二次表示画面５は光透過領域５１で画像表示を行わず、二次表示画面５は光透過領域５１の周辺領域で画像表示を行うようにしてもよい。
【００５５】
第二の実施形態において、図８および図１１を参照すると、二次表示画面５の光透過領域５１は、互いに離間した複数の光透過孔５１１を画定することができる。光透過孔５１１は、二次表示画面５を透過することができる。光は、光透過孔５１１を通って第一のカメラ４１に入射することができる。また、二次表示画面５は光透過孔５１１に画像表示を行わず、二次表示画面５は光透過孔５１１の周辺領域に画像表示を行うようにしてもよい。
【００５６】
光透過領域５１は、複数の光透過孔５１１を画定することができるので、第一のカメラ４１は、複数の光透過孔５１１を介して撮像することができ、光透過孔５１１を設けない光透過領域５１の部分は、依然として画像を表示することができるので、二次表示画面５の表示面積を大きくすることができ、移動端末１００の画面比率を向上させることができる。複数の光透過孔５１１は、第一のカメラ４１によって撮像される画像の品質をより高くすることができるようにアレイ状に配置することができる。
【００５７】
第三の実施形態において、図８および図１２を参照すると、二次表示画面５は、積層されたカバープレート５２と、表示モジュール５３とを含んでもよい。カバープレート５２は、光を通過させることができる透明なカバープレートであってもよい。光透過領域５１の中に位置する表示モジュール５３の一部分は、くり抜かれていてもよい。すなわち、表示モジュール５３は、表示モジュール５３を貫通する貫通孔５３０を画定することができる。貫通孔５３０は、光透過領域５１の中に位置することができ、光は、貫通孔５３０を通過して第一のカメラ４１に入射することができる。表示モジュール５３は、光透過領域５１で画像表示を行わず、表示モジュール５３は光透過領域５１の周辺領域で画像表示を行うようにしてもよい。
【００５８】
本実施形態では、光透過領域５１は、全ての光を通過させることができるので、第一のカメラ４１によって撮像された画像品質を高くすることができる。カバープレート５２は、表示モジュール５３を保護するだけでなく、貫通孔３１０を通して外部の塵および湿気が第二のハウジング１２の内部に侵入するのを防止することができる。
【００５９】
第四の実施形態では、図８および図１３を参照すると、二次表示画面５は、積層することのできるカバープレート５２と、表示モジュール５３とを含んでもよい。カバープレート５２は、光を通過させることができる透明なカバープレートであってもよい。表示モジュール５３は、複数の中空孔５３１を画定することができ、これらの中空孔は、光透過領域５１内に配置して、互いに離間することができる。中空孔５３１は、表示モジュール５３を貫通することができる。光は、中空孔５３１を通って第一のカメラ４１に入射することができる。表示モジュール５３は中空孔５３１内で画像表示を行わなくてもよく、表示モジュール５３は中空孔５３１の周辺領域で画像表示を行うことができる。
【００６０】
光透過領域５１は、複数の中空孔５３１を画定することができるので、第一のカメラ４１は、光透過領域５１を介して撮像することができ、中空孔５３１のない光透過領域５１の部分は、依然として画像表示を行うことができるので、二次表示画面５の表示面積を大きくすることができ、移動端末１００の画面比率を高くすることができる。カバープレート５２は、表示モジュール５３を保護するだけでなく、中空孔５３１を通して外部の塵および湿気が第二のハウジング１２の内部に侵入するのを防止することができる。複数の中空孔５３１は、第一のカメラ４１によって撮像される画像品質をより高くすることができるようにアレイ状に配置することができる。
【００６１】
第五の実施形態では、図８および図１４を参照すると、二次表示画面５は、積層されたカバープレート５４と、表示層５５と、遮光層５６とを含んでもよい。カバープレート５４は、光を通過させることができる透明なカバープレートであってもよい。表示層５５は、透明な表示層とすることができる。表示層５５は、表示を行うことができるだけでなく、光を透過させることもできる。遮光層５６の一部分は、光透過領域５１内に位置し、くり抜かれていてもよい。遮光層５６は、光を遮断し、第二のハウジング１２内の装置を遮断するように構成することができる。遮光層５６は、遮光層５６を貫通する貫通孔５６０を画定することができる。貫通孔５６０は、光透過領域５１に対応して位置していてもよく、光は、貫通孔５６０を通過して第一のカメラ４１に入射することができる。
【００６２】
光透過領域５１は貫通孔５６０を画定することができるので、第一のカメラ４１は光透過領域５１を通して撮像することができ、光透過領域５１は依然として画像表示を行うことができるので、二次表示５の表示面積を小さくすることなく、さらに移動端末１００の画面比率を高めることができる。
【００６３】
第六の実施形態では、図８および図１５を参照すると、二次表示画面５は、積層されたカバープレート５４と、表示層５５と、遮光層５６とを含んでもよい。カバープレート５４は、光を通過させることができる透明なカバープレートであってもよい。表示層５５は、透明な表示層であってもよい。表示層５５は、表示を行うことができるだけでなく、光を透過させることもできる。遮光層５６は、光を遮断し、第二のハウジング１２内の装置を遮断するように構成することができる。遮光層５６は、複数の貫通孔５６１を画定することができる。複数の貫通孔５６１は、光透過領域５１内に配置して、互いに離間してもよい。貫通孔５６１は、遮光層５６を貫通することができる。光は、貫通孔５６１を通って第一のカメラ４１に入射することができる。
【００６４】
光透過領域５１は、複数の貫通孔５６１を画定してもよいので、第一のカメラ４１は、光透過領域５１を通して撮像することができ、光透過領域５１は依然として画像表示を行うことができるので、二次表示画面５の表示面積を小さくすることなく、移動端末１００の画面比率をさらに高めることができる。貫通孔５６１を設けない遮光層５６の領域は、依然として光を遮断するために使用され、移動端末１００の外観均一性を向上させる。複数の貫通孔５６１は、第一のカメラ４１によって撮像される画像がより高品質になり得るようにアレイ状に配置されてもよい。
【００６５】
一実施形態では、図８を参照すると、主表示画面２は、第二の表示領域２２を含んでもよい。第二の表示領域２２は、第二の外面１２２上に積層することができる。可動シート３が移動空間１０の中に回転して入ると、二次表示画面５は、第二の表示領域２２と面一になることができる。換言すれば、二次表示５は、第二の表示領域２２と実質的に同一平面上にあることができる。この場合、二次表示画面５と第二の主表示画面２との接合性を向上させることができ、表示効果を向上させることができる。
【００６６】
一実施形態では、図５を参照すると、主表示画面２は、第二の表示領域２２を含んでもよい。第二の表示領域２２は、第二の外面１２２上に積層することができる。可動シート３が移動空間１０の中に回転して入ると、第一の外壁面３１は、第二の外面１２２から離れて第二の表示領域２２の面と面一（すなわち、略同一平面上）となることができる。この場合、移動端末１００は、より良好な外観整合性を有することができる。
【００６７】
一実施形態では、図８および図９を参照すると、可動シート３は、第二の外壁面３２をさらに含んでもよい。第二の外壁面３２は、第一の外壁面３１に接続されてもよい。可動シート３が移動空間１０の中に回転して入ると、第二の外壁面３２は、第一の外面１１２と第二の外面１２２との間に位置することができ、支持アセンブリ１とは反対側に位置することができ、第二の外壁面３２は、第一の側面１１３と同じ向きを有することができる。シート３が移動空間１０から回転して出ると、第二の外壁面３２の向きは、第一の外面１１２の向きと一致することができる。移動端末１００は、追加表示画面６をさらに含んでもよく、追加表示画面６は、第二の外壁面３２に配置されてもよい。
【００６８】
本実施形態では、可動シート３が移動空間１０の中に回転して入ると、移動端末１００を追加表示画面６によって横向きの面に表示させることができ、これにより表示モードを充実させることができる。可動シート３が移動空間１０から回転して出ると、追加表示画面６を主表示画面２の第一の表示領域２１と接合することができ、これにより表示面積を大きくさせることで、移動端末１００の大画面表示効果を向上させることができる。
【００６９】
ここで、可動シート３が移動空間１０から回転して出ると、追加表示画面６は、第一の表示領域２１に平行にすることができ、追加表示画面６を第一の表示領域２１に接合した後に、表示効果を向上させることができる。
【００７０】
一実施形態では、図１６〜図１８を参照すると、可動シート３は、第三の外壁面３３をさらに含むことができる。第三の外壁面３３は、第一の外壁面３１に接続され、第二の外壁面３２に対向して配置されることができる。可動シート３が移動空間１０の中に回転して入ると、第三の外壁面３３は、第一の外面１１２と第二の外面１２２との間に位置することができ、支持アセンブリ１の方を向くことができ、第三の外壁面３３を第一の側面１１３に対向して配置することができる。可動シート３が移動空間１０から回転して出ると、第三の外壁面３３の向きは第二の外面１２２の向きと一致することができる。可動シート３は、第三の外壁面３３の向きと一致する向きを有する撮像面を有し得る第二のカメラ４２をさらに含んでもよい。
【００７１】
本実施形態では、可動シート３が移動空間１０の中に回転して入ると、第二のカメラ４２が移動空間１０内に収容されて、支持コンポーネント１により遮断され、第二のカメラ４２は撮影することができない。可動シート３が移動空間１０から回転して出ると、第二のカメラ４２の撮像面は、第二の外面１２２の向きと一致した向きを有することができ、第二のカメラ４２の撮像面を露出することができるので、第二のカメラ４２は撮影することができる。
【００７２】
本実施の形態では、可動シート３が移動空間１０の中に回転して入ると、移動端末１００は第一のカメラ４１による撮影を行ってもよく、可動シート３が移動空間１０から回転して出ると、移動端末１００は第一のカメラ４１または第二のカメラ４２による撮影を行うことができる。したがって、移動端末１００の撮影モードを多様化することができ、ユーザ体験を向上させることができる。
【００７３】
一実施形態によると、図１８を参照すると、可動シート３には、フラッシュランプ４３がさらに設けられていてもよい。なお、フラッシュランプ４３の発光面の向きは、第三の外壁面３３の向きと一致してもよい。フラッシュランプ４３の発光面の向きは、第二のカメラ４２の撮像面の向きと一致させて、第二のカメラ４２の光を満たすようにしてもよい。
【００７４】
本実施形態では、撮影環境が悪い場合には、可動シート３を移動空間１０から回転して出し、第二のカメラ４２の撮像面およびフラッシュランプ４３の発光面を露出させることができ、フラッシュランプ４３は、第二のカメラ４２のための光を満たし、こうして、第二のカメラ４２は、より高品質な画像を撮像することができる。
【００７５】
可動シート３内の第二のカメラ４２の数は、１つであっても、複数であってもよい。例えば、第二のカメラ４２の数は２つであってもよく、広角撮影および望遠撮影を可能にする。
【００７６】
一実施形態では、図１９および図２０を参照すると、第一のハウジング１１は、第三の側面１１５および第四の側面１１６をさらに含んでもよい。第三の側面１１５と第四の側面１１６とは、いずれも第一の内面１１１と第一の外面１１２との間に接続されてもよい。第三の側面１１５と第四の側面１１６とは、互いに対向するように構成することができる。第三の側面１１５は、第一の側面１１３の一方の側に配置することができ、第四の側面１１６は、第一の側面１１３の他方の側に配置することができる。凹部領域１１４は、第一のハウジング１１を第三の側面１１５から第四の側面１１６まで貫通してもよい。
【００７７】
本実施形態では、凹部領域１１４は、第一のハウジング１１を第三の側面１１５から第四の側面１１６まで貫通できるため、凹部領域１１４は、第三の側面１１５から第四の側面１１６までの方向で、移動端末１００の空間を良好に利用することができ、したがって、凹部領域１１４が大きな体積を有し、処理が容易になり、移動端末１００の外観および形状の整合性が向上する。同様に、凹部領域１１４の容積は大きくすることができるので、凹部領域１１４と協働することができる可動シート３の容積も大きくすることができ、その結果、可動シート３は、より多くの機能装置を収容することができ、したがって、移動端末１００上の機能装置の配置を、より柔軟かつ多様にすることができる。
【００７８】
ここで、第二のハウジング１２は、第五の側面１２５および第六の側面１２６をさらに含んでもよい。また、第五の側面１２５と第六の側面１２６とは、いずれも第二の内面１２１と第二の外面１２２との間に接続することができる。第五の側面１２５と第六の側面１２６とは、互いに対向するように構成されていてもよい。第五の側面１２５は、第二の側面１２３の一方の側に配置することができ、第六の側面１２６は、第二の側面１２３の他方の側に配置することができる。受容領域１２４は、第二のハウジング１２を第五の側面１２５から第六の側面１２６まで貫通することができる。
【００７９】
他の実施形態では、凹部領域１１４は、第三の側面１１５または第四の側面１１６まで延びることができ、受容領域１２４の形状は、凹部領域１１４の形状に対応することができる。可動シート３は、移動端末１００の一端（上端または下端）から露出させることができる。任意に、図３、図４および図６を参照すると、凹部領域１１４は、第三の側面１１５および第四の側面１１６まで延びなくてもよく、受容領域１２４の形状は、凹部領域１１４の形状に対応することができ、移動空間１０は、支持アセンブリ１を折り畳むと、移動端末１００の「バング（ｂａｎｇ）」領域を形成することができる。可動シート３が移動空間１０の中に回転して入ると、可動シート３は、移動端末１００の「バング」領域内に位置することができる。
【００８０】
一実施形態では、図１９を参照すると、可動シート３には、イヤホン４４をさらに設けることができる。可動シート３は、互いに対向して配置することのできる第四の外壁面３４と第五の外壁面３５とを含んでもよい。また、第四の外壁面３４は、第三の側面１１５の向きと同じ向きを有してもよい。また、第五の外壁面３５は、第四の側面１１６の向きと同じ向きを有してもよい。イヤホン４４の音孔は、第四の外壁面３４または第五の外壁面３５の少なくとも一方に設けることができる。換言すれば、イヤホン４４の音孔は、単に第四の外壁面３４または第五の外壁面３５だけに配置されてもよいし、第四の外壁面３４および第五の外壁面３５の両方に配置されてもよい。イヤホン４４の音は、音孔を透過する。
【００８１】
なお、本実施形態では、イヤホン４４の音孔を第四の外壁面３４および第五の外壁面３５の少なくとも一方に配置することができるため、音孔を塞がなくてもよい。イヤホン４４は、ユーザと相互作用するように支持アセンブリ１を折り開くと、または折り畳むと、音を発することができる。この場合、イヤホン４４は、移動端末１００の頂部または底部の少なくとも一方に近くてもよく、その結果、ユーザは、電話に応答するときにイヤホン４４に近くて、イヤホン４４によって発せられた音をより良く受信することができ、これにより、ユーザの体験を改善することができる。
【００８２】
一実施形態によると、虹彩認識モジュール、顔認識モジュール、マイクロホン（電話送信機とも呼ばれる）、感光体、および指紋モジュールのうちの少なくとも１つが、可動シート３上にさらに配置されてもよい。上記の機能装置（例えば、感光体、指紋モジュール等）は、必要なときに、支持アセンブリ１に従って折り開かれるように、不要なときに、支持アセンブリ１に従って折り畳まれるように可動シート３内に配置され、移動端末１００の外部空間を占有することなく、主表示画面２の表示面積を大きくして、移動端末１００の画面比率を高めることができる。可動シート３に収容される機能装置は、千鳥配置で配置して、重複配置によって移動端末１００の厚さが厚くなり過ぎるのを回避することができる。
【００８３】
一実施形態では、図２１を参照すると、支持アセンブリ１を折り畳むと、第一の外面１１２上の受容領域１２４の突起部１２４’が、第一の外面１１２上の凹部領域１１４の突起部１１４’を覆ってもよい。この場合、可動シート３を移動空間１０内に良好に収容することができるだけでなく、受容領域１２４の壁面が可動シート３の回転を妨げることがないので、可動シート３を移動空間から円滑に回転して出入れすることができる。
【００８４】
本開示では、主表示画面２は、以下の例を挙げて、様々な実施態様を有することができる。
【００８５】
一実施形態では、図２を参照すると、主表示画面２は、可撓性表示画面であってもよい。第一の外面１１２と、屈曲部材１３の外面と、第二の外面１２２とは、一括して主表示画面２を保持することができる。屈曲部材１３の外面の第一の側は、第一の外面１１２に接続することができる。屈曲部材１３の外面の第一の側と対向する第二の側を第二の外面１２２に接続することができる。
【００８６】
主表示画面２は、有機発光ダイオード（ＯＬＥＤ）表示画面であってもよい。
【００８７】
別の実施形態では、図２２を参照すると、表示画面２は、第一の副表示画面２４および第二の副表示画面２５を含むことができる。第一の副表示画面２４と第二の副表示画面２５とは、互いに独立した２つの表示画面であってもよい。第一の副表示画面２４は、第一の外面１１２上に置くことができる。第二の副表示画面２５は、第二の外面１２２上に置くことができる。屈曲部材１３の外面は、第一の副表示２４および第二の副表示２５に接続可能な可撓性の第三の副表示２６を置くことができる。当然、他の実施形態では、屈曲部材１３の外面は、表示画面を置かなくてもよい。
【００８８】
第一の副表示２４は、液晶表示（ＬＣＤ）または有機発光ダイオード（ＯＬＥＤ）表示であってもよい。第二の副表示２５は、液晶表示であっても、有機発光ダイオード表示であってもよい。第三の副表示２６は、有機発光ダイオード表示とすることができる。
【００８９】
本開示において、図５を参照すると、支持アセンブリ１は、支持アセンブリ１が折り畳み状態にあるときに、第一のハウジング１１を第二のハウジング１２に対して固定するためのロック構造（１４１、１４２）を有していてもよく、これにより、ユーザが移動端末１００を持ち運ぶのが容易になる。ロック構造（１４１、１４２） は、以下のように例を挙げて、さまざまな実施態様を有することができる。
【００９０】
支持アセンブリ１は、第一のロック部材１４１と、第二のロック部材１４２とをさらに含むことができる。第一のロック部材１４１は、第一のハウジング１１上に配置することができる。第二のロック部材１４２は、第二のハウジング１２上に配置することができる。支持アセンブリ１を折り畳むと、第一のロック部材１４１は、第二のロック部材１４２と協働することができる。
【００９１】
ここで、第一のロック部材１４１は、第一の永久磁石であってもよい。第一の永久磁石は、第一の内面１１１に固定されてもよい。第二のロック部材１４２は、第二の永久磁石であってもよい。第二の永久磁石は、第二の内面１２１に固定されてもよい。第一の永久磁石の第一の端部は、第二の永久磁石の第二の端部の方を向いてもよく、第一の永久磁石の第一の端部は、第二の永久磁石の第二の端部とは反対の磁極を有するよう構成されてもよい。支持アセンブリ１を折り畳むと、第一の永久磁石と第二の永久磁石とを磁気的に引き付けることができる。
【００９２】
任意に、第一のロック部材１４１は、第一の内面１１１から突出するブロックとすることができる。第二のロック部材１４２は、第二の内面１２１に凹んだスロットとすることができる。支持アセンブリ１を折り畳むと、ブロックはスロットと係合することができる。また、ブロックは、ブロックとスロットとの間のロック力を強めるために、スロットの壁との干渉嵌合を有してもよい。
【００９３】
図８および図９を参照すると、他の実施形態では、前述の実施形態とは異なり、第一のロック部材１４１は、可動シート３の第三の外壁面３３に配置することができる。第二のロック部材１４２は、受容領域１２４の溝壁１２４０上に配置することができる。例えば、第一のロック部材１４１は、可動シート３の第三の外壁面３３から突出するブロックとすることができる。第二のロック部材１４２は、受容領域１２４の溝壁に凹ませることのできるスロットとすることができる。支持アセンブリ１を折り畳むと、ブロックはスロットと係合することができる。ブロックは、ブロックとスロットとの間のロック力を強めるために、スロットの溝壁との干渉嵌合を有してもよい。任意に、第一のロック部材１４１は、第一の永久磁石であってもよい。第二のロック部材１４２は、第二の永久磁石であってもよい。第一の永久磁石の第一の端部は、第二の永久磁石の第二の端部の方を向いてもよく、第一の永久磁石の第一の端部は、第二の永久磁石の第二の端部とは反対の磁極を有するよう構成されてもよい。支持アセンブリ１を折り畳むと、第一の永久磁石と第二の永久磁石とを磁気的に引き付けることができる。
【００９４】
以上、本開示の実施形態を詳細に説明してきたが、本開示の原理および実施は、特定の具体例に記載されている。上記の実施態様の説明は、本開示の方法および核となる精神の理解を助けるためにのみ使用される。なお、当業者であれば、本開示の精神に従い、具体的な実施形態および適用範囲を変更することができる。一言で言えば、本明細書は、本開示の制限とはみなされないものとする。
【図１】
2021519985.tif 000003
【図２】
2021519985.tif 000004
【図３】
2021519985.tif 000005
【図４】
2021519985.tif 000006
【図５】
2021519985.tif 000007
【図６】
2021519985.tif 000008
【図７】
2021519985.tif 000009
【図８】
2021519985.tif 000010
【図９】
2021519985.tif 000011
【図１０】
2021519985.tif 000012
【図１１】
2021519985.tif 000013
【図１２】
2021519985.tif 000014
【図１３】
2021519985.tif 000015
【図１４】
2021519985.tif 000016
【図１５】
2021519985.tif 000017
【図１６】
2021519985.tif 000018
【図１７】
2021519985.tif 000019
【図１８】
2021519985.tif 000020
【図１９】
2021519985.tif 000021
【図２０】
2021519985.tif 000022
【図２１】
2021519985.tif 000023
【図２２】
2021519985.tif 000024
【国際調査報告】
2021519985.tif 000025
2021519985.tif 000026